(57)【要約】【課題】  操作性よく開成動作を行える携帯機器を提供する。【解決手段】  スライド機構により、第１筐体の上面が第２筐体によって覆われる閉成位置と、この閉成位置から第１筐体と第２筐体が閉成方向に相対的に少しずれるスライド待機位置と、このスライド待機位置から自動的にスライドして第１筐体の上面を露出させる開成位置とを形成するように構成したことにより、前記課題を解決した。【選択図】        図３
2006270811.tif 000002
【特許請求の範囲】
【請求項１】
第１筐体と第２筐体を備え、これら第１筐体と第２筐体を互いに重ね合わせた状態で相対的に直線方向にスライドさせるスライド機構を用い、前記第１筐体及び前記第２筐体のいずれか一方の筐体の上面を前記第１筐体及び前記第２筐体のいずれか他方の筐体で覆う閉成状態と前記一方の筐体の上面を露出させる開成状態とを形成するように構成した携帯機器であって、
前記スライド機構により、前記第１筐体と前記第２筐体のいずれか一方の筐体の上面が他方の筐体によって覆われる閉成位置と、この閉成位置から前記第１筐体と前記第２筐体が閉成方向に相対的に少しずれるスライド待機位置と、このスライド待機位置から自動的にスライドして前記一方の筐体の上面を露出させる開成位置とを形成するように構成したことを特徴とする、携帯機器。
【請求項２】
前記スライド機構を、棒状に形成され、前記第１筐体と前記第２筐体のいずれか一方に取り付けられるベース部材と、このベース部材に対しスライド可能に係合され、前記第１筐体と前記第２筐体のいずれか他方に取り付けられるスライダーと、このスライダーと前記ベース部材の間に設けられ、前記第１筐体及び前記第２筐体を開成方向に付勢する付勢手段と、前記ベース部材の前記スライダーが摺接する側に設けられたハート状のエンドレスカム溝と、このエンドレスカム溝に先端を押し当てる状態で嵌入されるように前記スライダーに取り付けられたガイドピンとで構成したことを特徴とする、請求項１に記載の携帯機器。
【請求項３】
前記エンドレスカム溝が、前記直線方向に延び、前記ガイドピンが谷部に位置されている状態が前記閉成状態であると共に、前記ガイドピンが突部に位置されている状態が前記開成状態であるハートカム形状に形成されていることを特徴とする、請求項２に記載の携帯機器。
【請求項４】
前記エンドレスカム溝の前記突部の深さが、該突部に連通する２つの溝の深さより深い寸法で形成されていることを特徴とする、請求項３に記載の携帯機器。
【請求項５】
前記ガイドピンが、前記直線方向に対して直交する方向に傾倒可能に設けられていることを特徴とする、請求項２〜４のいずれか１項に記載の携帯機器。
【請求項６】
前記ベース部材は、前記直線方向に延びる断面略矩形状のガイド部と、このガイド部の長手方向の一方の端部に設けられ、前記付勢手段の一端部が取り付けられる第１付勢取付部とを備え、
前記スライダーは、前記ガイド部とスライド係合する略Ｕ字状の係合部と、前記付勢手段の他端部が取り付けられる第２付勢取付部とを備えていることを特徴とする、請求項２〜５のいずれか１項に記載の携帯機器。
【発明の詳細な説明】
【技術分野】
【０００１】
本発明は、第１筐体と第２筐体を直線方向に相対的にスライドさせる際に用いられて好適な携帯機器に関するものである。
【背景技術】
【０００２】
携帯機器の一種である携帯電話機において、キーボード部やマイク部等を上面に設けた送話部としての第１筐体と、ディスプレイ部やスピーカー部等を上面に設けた受話部としての第２筐体とを有し、これらの第１筐体と第２筐体が完全に重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このようなスライド機構を有する携帯電話機としては、下記する特許文献１に記載されたものが公知である。
【特許文献１】特開２００３−１２５０５２号公報
【発明の開示】
【発明が解決しようとする課題】
【０００３】
この特許文献１に記載されたものは、スライドカバーとロックプレートを重ね合わせて固着したスライドケースを第２筐体の下面に取り付けると共に、スライドケース内に摺動可能に収装したスライダーを第１筐体の上面に取り付けることで、第２筐体を第１筐体に対してスライドさせることができるという構成のものであった。このような構成であると、第１筐体と第２筐体の相対的操作、即ち、スライド操作は全て手動で行わなくてはならず、操作性の点で難点があった。
【０００４】
このため、スライダーとスライドケースとの間に、スライダーを所定の摺動位置から閉方向及び開方向の一方の方向又は両方向に摺動付勢させる弾性手段を設けることが提案されている。これにより、閉成状態の第２筐体を第１筐体に対してスライドさせて開成状態にする場合、初めは第２筐体を第１筐体に対してスライドさせるのに、弾性手段の付勢力に抗するためにスライドさせ得る力が必要になるが、第２筐体が移動の半分の位置を過ぎると、弾性手段の付勢力により第２筐体が自動的にスライドして開成状態になる。よって、半自動で開動作を行えることになる。
【０００５】
ところで、携帯電話機を開く場合には、片手で荷物を持ったりして片手を使うことができないことがあり、この場合には、片手で開成動作を行わなければならないが、第２筐体を第１筐体に対して移動の途中例えば半分まで移動させるのに、手の大きさや指の長さにもよるが、自動的に第２筐体がスライドする位置まで第２筐体を手動で移動させることができないことがあり、操作性が悪かった。
【０００６】
本発明は、前記課題を解決するためになされたものであって、その目的は、操作性よく開成動作を行える携帯機器を提供することにある。
【課題を解決するための手段】
【０００７】
前記の目的を達成するための本発明に係る携帯機器は、第１筐体と第２筐体を備え、これら第１筐体と第２筐体を互いに重ね合わせた状態で相対的に直線方向にスライドさせるスライド機構を用い、前記第１筐体及び前記第２筐体のいずれか一方の筐体の上面を前記第１筐体及び前記第２筐体のいずれか他方の筐体で覆う閉成状態と前記一方の筐体の上面を露出させる開成状態とを形成するように構成した携帯機器であって、前記スライド機構により、前記第１筐体と前記第２筐体のいずれか一方の筐体の上面が他方の筐体によって覆われる閉成位置と、この閉成位置から前記第１筐体と前記第２筐体が閉成方向に相対的に少しずれるスライド待機位置と、このスライド待機位置から自動的にスライドして前記一方の筐体の上面を露出させる開成位置とを形成するように構成したことを特徴とする。
【０００８】
この発明によれば、閉成状態の第１筐体及び第２筐体の少なくとも一方を閉成方向に少し移動させると、スライド待機位置になり、このスライド待機位置から自動的にスライドして一方の筐体の上面が露出する開成状態となるので、操作性よく開成動作を行える。
【０００９】
本発明に係る携帯機器において、前記スライド機構を、棒状に形成され、前記第１筐体と前記第２筐体のいずれか一方に取り付けられるベース部材と、このベース部材に対しスライド可能に係合され、前記第１筐体と前記第２筐体のいずれか他方に取り付けられるスライダーと、このスライダーと前記ベース部材の間に設けられ、前記第１筐体及び前記第２筐体を開成方向に付勢する付勢手段と、前記ベース部材の前記スライダーが摺接する側に設けられたハート状のエンドレスカム溝と、このエンドレスカム溝に先端を押し当てる状態で嵌入されるように前記スライダーに取り付けられたガイドピンとで構成することが好ましい。
【００１０】
また、本発明に係る携帯機器において、前記エンドレスカム溝が、前記直線方向に延び、前記ガイドピンが谷部に位置されている状態が前記閉成状態であると共に、前記ガイドピンが突部に位置されている状態が前記開成状態であるハートカム形状に形成されていることが好ましい。また、本発明に係る携帯機器において、前記エンドレスカム溝の前記突部の深さが、該突部に連通する２つの溝の深さより深い寸法で形成されていることが好ましい。また、本発明に係る携帯機器において、前記ガイドピンが、前記直線方向に対して直交する方向に傾倒可能に設けられていることが好ましい。また、本発明に係る携帯機器において、前記ベース部材は、前記直線方向に延びる断面略矩形状のガイド部と、このガイド部の長手方向の一方の端部に設けられ、前記付勢手段の一端部が取り付けられる第１付勢取付部とを備え、前記スライダーは、前記ガイド部とスライド係合する略Ｕ字状の係合部と、前記付勢手段の他端部が取り付けられる第２付勢取付部とを備えていることが好ましい。
【発明の効果】
【００１１】
以上説明したように本発明に係る携帯機器によれば、閉成状態の第１筐体及び第２筐体の少なくとも一方を閉成方向に少し移動させると、スライド待機位置になり、このスライド待機位置から自動的にスライドして一方の筐体の上面が露出する開成状態となるので、操作性よく開成動作を行える。
【発明を実施するための最良の形態】
【００１２】
以下、本発明に係る携帯機器を添付図面に基づいて詳述する。
【００１３】
図１及び図２は本発明に係る携帯電話機の一例を示す図である。図３及び図４は本発明に係るスライド機構の一例を示す図である。本発明に係る携帯機器は、図１〜図４に示すように、第１筐体１１と第２筐体１２を互いに重ね合わせた状態で相対的に直線方向にスライドさせるスライド機構１を用い、第１筐体１１及び第２筐体１２のいずれか一方の筐体例えば第１筐体１１の上面を第１筐体１１及び前記第２筐体１２のいずれか他方の筐体例えば第２筐体１２で覆う閉成状態（図１参照。）と、第１筐体１１の上面を露出させる開成状態（図２参照。）とを形成するものである。
【００１４】
携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライドさせるものであれば特に限定されない。また、本実施の形態では、携帯機器として携帯電話機１０について説明するが、これに限定されるものではない。
【００１５】
第１筐体１１は、携帯電話機１０の送話部を構成するものであり、キーボード部１１ａやマイク部（図示せず）等を上面に有している。第１筐体１１は、細長の略矩形状に形成されている。第２筐体１２は、同じく携帯電話機１０の受話部を構成するものであり、ＬＣＤなどのディスプレイ部１２ａ、スピーカー部（図示せず）、カメラ部（図示せず）等を上面に有している。第２筐体１２は、第１筐体１１と略同じ細長の略矩形状に形成されている。
【００１６】
これらの第１筐体１１と第２筐体１２とが互いに重ね合わされた閉成状態から例えば第１筐体１１に対して第２筐体１２をその長手方向の直線方向に相対的にスライド移動可能に第１筐体１１と第２筐体１２とがスライド機構１を介して連結されて携帯電話機１０が構成されている。すなわち、この携帯電話機１０は、第１筐体１１の上面に第２筐体１２の下面が互いに重ね合わされてキーボード部１１ａ等を閉塞すると共に、第１筐体１１の上面から第２筐体１２の下面がスライド移動してキーボード部１１ａ等を露出させることができるようになっている。
【００１７】
本発明に係る携帯電話機１０は、スライド機構１により、第１筐体１１と第２筐体１２のいずれか一方の筐体例えば第１筐体１１の上面が他方の筐体例えば第２筐体１２によって覆われる閉成位置と、この閉成位置から第１筐体１１と第２筐体１２が閉成方向に相対的に少しずれるスライド待機位置と、このスライド待機位置から自動的にスライドして第１筐体１１の上面を露出させる開成位置とを形成するように構成したことに特徴がある。本発明に係るスライド機構１は、棒状に形成され、第１筐体１１と第２筐体１２のいずれか一方例えば第２筐体１２に取り付けられるベース部材２と、このベース部材２に対しスライド可能に係合され、第１筐体１１と第２筐体１２のいずれか他方例えば第１筐体１１に取り付けられるスライダー３と、このスライダー３とベース部材２の間に設けられ、第１筐体１１及び第２筐体１２を開成方向に付勢する付勢手段４と、ベース部材２のスライダー３が摺接する側に設けられたハート状のエンドレスカム溝６と、このエンドレスカム溝６に先端を押し当てる状態で嵌入されるようにスライダー３に取り付けられたガイドピン５とで構成されていることが好ましい。
【００１８】
ベース部材２は、第２筐体１２の下面にその長手方向に延びて例えばねじやビス等により取り付けられている。このベース部材２は、１つでもよいし２つでもよい。すなわち、ベース部材２及びスライダー３は、携帯電話機１０に１組設けてもよいし、２組以上適宜間隔を空けて設けるようにしてもよい。なお、本実施の形態では、携帯電話機１０にベース部材２及びスライダー３を１組設けた場合について説明するがこれに限定されるものではない。
【００１９】
ベース部材２は、第２筐体１２の下面にその長手方向に延び、例えば、第２筐体１２の先端部近傍から略中央部近傍まで取り付けられている。ベース部材２は、直線方向に延びる棒状の断面略矩形状のガイド部２１と、このガイド部２１の端部であって第２筐体１２の略中央部側に位置する端部（第１端部ということがある。）に設けられ、付勢手段４の一端部が取り付けられる第１付勢取付部２２とを備えている。
【００２０】
ガイド部２１の上面には、ねじやビス等によりベース部材２を第２筐体１２の下面に取り付けるための取付孔２５が好ましくは２つ以上図示例では４つ適宜間隔で設けられている。ガイド部２１の両側面の上端部近傍には、その長手方向に延びるスライド案内溝２３がそれぞれ設けられている。ガイド部２１の両側面のうちの一方の面（第１側面ということがある。）にエンドレスカム溝６が設けられている。第１付勢取付部２２は、ガイド部２１の第１端部にガイド部２１と一体に設けられており、ガイド部２１の第１側面の第１端部近傍を突出したように形成されている。この第１付勢取付部２２の先端部に付勢手段４の一端部が取り付けられている。
【００２１】
スライダー３は、ベース部材２にその長手方向にスライド可能に係合し得るものである。スライダー３は、図３、図４、図７及び図８に示すように、ガイド部２１とスライド係合する略Ｕ字状の係合部と、付勢手段４の他端部が取り付けられる第２付勢取付部３２とを備えている。スライダー３は、ベース部材２にスライド可能に係合できれば特に限定されず、例えば、直方体状に形成されている。スライダー３の一方の側面の近傍の上面には、その側面に沿って係合部としての係合溝３１が設けられている。係合溝３１は、略Ｕ字状に形成されている。この係合溝３１の両側部の上部が、スライド案内溝２３に入り込むように突出して形成されており、スライダー３がベース部材２にその長手方向にスライド可能に係合し得るようになっている。
【００２２】
スライダー３の他方の側面は、ベース部材２の第１付勢取付部２２より突出する位置に形成されている。スライダー３の第１付勢取付部２２側の端部の他方の側面近傍に、第２付勢取付部３２が設けられている。第２付勢取付部３２は、付勢手段４の他端部が取り付けられるように、例えば、貫通孔（図示せず）を有している。スライダー３の下面には、ねじやビス等によりスライダー３を第１筐体１１の上面の先端部（キーボード部１１ａとは反対側の端部）近傍に取り付けるための取付孔（図示せず）が設けられており、このスライダー３がベース部材２と係合して第１筐体１１と第２筐体１２とが互いにその長手方向の直線方向に閉成状態と開成状態との間でスライド移動し得るようになっている。
【００２３】
すなわち、第１筐体１１の上面が第２筐体１２で覆われた状態が閉成状態であり、このとき、スライダー３がベース部材２の第２端部（第１端部と反対側の端部）の近傍に位置されている。この位置が閉成位置であり、この閉成位置から第１筐体１１と第２筐体１２が閉成方向に相対的に少しずれる位置がスライド待機位置である。すなわち、スライド待機位置は、スライダー３がベース部材２の第２端部に位置された状態である。この状態から、例えば、第１筐体１１に対して第２筐体１２を第１筐体１１の後端部側からその先端部側にスライドさせてスライダー３をベース部材２の後端部に位置させたとき、第１筐体１１の上面が露出した状態が開成状態である。このとき、スライダー３がベース部材２の第１端部に位置されている。なお、ベース部材２を第２筐体１２に取り付けると共にスライダー３を第１筐体１１に取り付けて第１筐体１１と第２筐体１２とを互いにスライド可能にしたが、ベース部材を第１筐体に取り付けると共にスライダーを第２筐体に取り付けて第１筐体と第２筐体とを互いにスライド可能にするようにしてもよい。
【００２４】
付勢手段４は、第１筐体１１及び第２筐体１２を開成方向に付勢するものである。付勢手段４は、第１筐体１１及び第２筐体１２を開成方向に付勢できれば特に限定されず、例えば、テンションスプリング４１等が用いられる。テンションスプリング４１の一端部がベース部材２の第１付勢取付部２２に取り付けられていると共にその他端部がスライダー３の第２付勢取付部３２に取り付けられて、第１筐体１１及び第２筐体１２が開成方向に付勢されるようになっている。
【００２５】
ガイドピン５は、スライダー３に取り付けられている。ガイドピン５は、その先端がエンドレスカム溝６の底部に押し当てられるようにエンドレスカム溝６に嵌入されて係合するものである。ガイドピン５としては、例えば、ピボットピン５１等が用いられる。ピボットピン５１は、エンドレスカム溝６と対向するスライダー３の係合溝３１の側部（係合側部ということがある。）に設けられている。その係合側部には、ピン収容凹部５５が設けられている。
【００２６】
ピン収容凹部５５のスライド方向の幅は、例えばピボットピン５１の直径より若干大きな寸法で形成されていることが好ましく、これにより、ピボットピン５１がスライド方向に移動しないか、又はほとんど移動しないようになっている。ピン収容凹部５５の高さ方向には、それぞれテーパー溝が設けられている。すなわち、ピン収容凹部５５は、高さ方向における断面が三角形状に形成されており、ピボットピン５１が高さ方向に傾倒可能に収容されて、係合溝３１内に突出するピボットピン５１の先端の位置が任意に変わるように構成されている。
【００２７】
ピボットピン５１の途中の外周であってピン収容凹部５５に収容されたときにその開口部に臨む位置には、ピボットピン５１より大径のリング状のフランジ部５１ａが設けられている。このフランジ部５１ａとピン収容凹部５５の最深部との間であってピボットピン５１の外周には、ピボットピン５１をピン収容凹部５５から突出する方向に付勢するピン付勢手段である例えばコンプレッションスプリング５７が設けられている。これにより、ピボットピン５１は、その先端がエンドレスカム溝６の底部に押し当てられるようにエンドレスカム溝６に確実に嵌入されて係合するようになっている。
【００２８】
エンドレスカム溝６は、ピボットピン５１と係合して第１筐体１１及び第２筐体１２を閉成位置又は開成位置に保持すると共に、閉成位置の第１筐体１１及び第２筐体１２の少なくとも一方を開成位置とは反対方向（閉成方向ということがある。）に少し移動させることによってスライド待機位置に位置させたとき第１筐体１１と第２筐体１２を自動的に互いにスライドさせて開くように形成されている。エンドレスカム溝６は、特に限定されないが、ハートカム形状に形成されていることが好ましい。すなわち、エンドレスカム溝６は、ガイド部２１の第１側面にその長手方向に延び、谷部６１が第２端部近傍に位置されていると共に突部６２が第１端部近傍に位置されているハートカム形状に形成されている。なお、本発明においてハートカム形状における谷部６１とは、図６に示すように、Ｃ溝とＤ溝との境のところで具体的には図６ではＤ溝の端部の箇所をいう。また、本発明においてハートカム形状における突部６２とは、図６に示すように、Ａ溝の箇所をいう。
【００２９】
エンドレスカム溝６の谷部６１の深さ（底部の位置）は、できるだけ浅い方がよいが、浅すぎると第１筐体１１及び第２筐体１２の少なくとも一方に外力が作用して誤動作し難い寸法で形成されていることが好ましい。このハートカム形状のエンドレスカム溝６は、エンドレスカム溝６の底部に方向性のある段差を設けてある。すなわち、ピボットピン５１の先端部がエンドレスカム溝６の底部に接触してその底部の段差に応じてピボットピン５１が移動されるようになっている。
【００３０】
エンドレスカム溝６の底部の段差を図６を用いて説明する。エンドレスカム溝６が図６に示すようにＡ溝、Ｂ溝、Ｃ溝、Ｄ溝及びＥ溝の５つからなるとすると、開成位置のときには、ピボットピン５１がＡ溝に位置されることになる。このＡ溝は、隣接するＥ溝及びＢ溝より深く形成されていることが好ましい。すなわち、Ａ溝とＥ溝の境及びＡ溝とＢ溝の境にはそれぞれ段差が設けられ、これらの段差の高さは、Ａ溝とＢ溝の境の段差（ＡＢ段差ということがある。）の方が小さく形成されていることが好ましい（Ａ溝の深さ＞Ｂ溝の深さ＞Ｅ溝の深さ）。なお、このＡＢ段差はなくても又はほとんどなくてもよい。つまり、Ａ溝にピボットピン５１が位置されているときに、ピボットピン５１がＡ溝からＢ溝に案内し得るようにＡＢ段差を設けたりＡＢ段差を形成しなくてもよい。また、Ａ溝とＥ溝との段差（ＡＥ段差ということがある。）はピボットピン５１がＥ溝に案内されないような高さの寸法で形成されていることが好ましい。
【００３１】
Ｂ溝とＣ溝の境には段差（ＢＣ段差ということがある。）が設けられ、このＢＣ段差は、Ｂ溝の方がＣ溝より上に位置されて、Ｂ溝からＣ溝へピボットピン５１が案内されるがその逆Ｃ溝からＢ溝へピボットピン５１が案内されないか又はされ難いように形成されていることが好ましい。Ｃ溝とＤ溝の境には段差（ＣＤ段差ということがある。）が設けられ、このＣＤ段差は、Ｃ溝の方がＤ溝より上に位置されて、Ｃ溝からＤ溝へピボットピン５１が案内されるがその逆Ｄ溝からＣ溝へピボットピン５１が案内されないか又はされ難いように形成されていることが好ましい。このＤ溝のＣＤ段差の近傍の端部が谷部であり、この谷部にピボットピン５１が位置されたときが閉成位置となる。
【００３２】
Ｄ溝とＥ溝の境には段差（ＤＥ段差ということがある。）が設けられ、このＤＥ段差は、Ｄ溝の方がＥ溝より上に位置されて、Ｄ溝からＥ溝へピボットピン５１が案内されるがその逆Ｅ溝からＤ溝へピボットピン５１が案内されないか又はされ難いように形成されていることが好ましい。このＥ溝のＤＥ段差の近傍の端部（待機部６３ということがある。）にピボットピン５１が位置されたときがスライド待機位置となる。このため、Ｄ溝の角度や長さを任意に変えることにより、閉成位置からスライド待機位置への第１筐体１１と第２筐体１２が閉成方向に相対的に移動する移動量を調節することができるので、その移動量ができるだけ少なくなるようにＤ溝の角度や長さを調節することが好ましい。すなわち、閉成位置からスライド待機位置への第１筐体１１及び第２筐体１２の移動量ができるだけ少なくなるようにＤ溝の角度や長さを調節することが好ましい。なお、Ｄ溝の角度や長さを設定する際には、第１筐体１１及び第２筐体１２の少なくとも一方に外力が作用して閉成位置からスライド待機位置へ移動して誤動作しない又はし難いように設定することが望ましい。
【００３３】
これらのようにエンドレスカム溝６の底部に段差を設けることにより、開成状態の第１筐体１１及び第２筐体１２を互いに閉成方向にスライドさせると、ピボットピン５１がＡ溝からＢ溝に案内移動され、そして、Ｂ溝からＣ溝に移動する。このようにピボットピン５１がＣ溝に移動したときが、第１筐体１１及び第２筐体１２の閉成方向へのスライドの限界であり、そのスライドを止めると、第１筐体１１及び第２筐体１２は開成方向にスライドしてピボットピン５１がＣ溝を移動してＣＤ段差から谷部６１であるＤ溝の端部に至り、第１筐体１１及び第２筐体１２が閉成位置に保持される。閉成位置の第１筐体１１及び第２筐体１２を互いに閉成方向に少しスライドさせると、ピボットピン５１がＤ溝からＥ溝に移動してスライド待機位置になる。このスライド待機位置からは、テンションスプリング４１の付勢力によって第１筐体１１及び第２筐体１２が開成方向に自動的に移動して、ピボットピン５１がＥ溝をＡ溝方向に移動する。そして、ピボットピン５１がＡ溝に移動すると、第１筐体１１及び第２筐体１２の移動が停止して第１筐体１１及び第２筐体１２が開成位置に保持される。すなわち、１回の開閉動作によりピボットピン５１がハートカム形状のエンドレスカム溝６を１周するように構成されている。なお、Ｂ溝、Ｃ溝、Ｄ溝及びＥ溝の底部は、ピボットピン５１がＢ溝、Ｃ溝、Ｄ溝及びＥ溝を移動することができればどのように形成してもよく、例えば、傾斜した平面状に形成してもよい。
【００３４】
次に本発明に係るスライド機構１及び携帯電話機１０の作用を説明する。
【００３５】
携帯電話機１０が使用されていない状態では、図１及び図５（ａ）に示すように、第１筐体１１と第２筐体１２が互いに重なり合った閉成状態である。このとき、ピボットピン５１がハートカム形状のエンドレスカム溝６の谷部６１に位置されていると共に、テンションスプリング４１の付勢力によって第１筐体１１及び第２筐体１２が開成方向に付勢されているので、第１筐体１１と第２筐体１２が閉成位置に保持されている。この携帯電話機１０で通話を行うには、例えば、図５（ｂ）に示すように、第１筐体１１に対して第２筐体１２を閉成方向に少しスライドさせる。すると、ピボットピン５１の先端部がエンドレスカム溝６の底部に接触しているために、そのエンドレスカム溝６の底部のＣＤ段差によってピボットピン５１がＤ溝を移動してＤ溝からＥ溝に移動してスライド待機位置になる。このスライド待機位置からは、テンションスプリング４１の付勢力によって第１筐体１１及び第２筐体１２が開成方向に自動的に移動するので、第２筐体１２のスライドを止めると、すなわち、例えば、第２筐体１２から手を離す。その結果、テンションスプリング４１の付勢力によって第２筐体１２が開成方向に自動的に移動して、ピボットピン５１がＥ溝をＡ溝方向に移動する。
【００３６】
そして、ピボットピン５１がＡ溝に移動すると、図２及び図５（ｃ）に示すように、第２筐体１２の移動が停止して第１筐体１１及び第２筐体１２が開成位置に保持される。このとき、エンドレスカム溝６の突部であるＡ溝は、隣接するＥ溝及びＢ溝より深く形成されているために、ピボットピン５１がＡ溝から脱し難くなっているので、第１筐体１１及び第２筐体１２が開成状態に確実に保持されることになる。この第１筐体１１の上面のキーボード部１１ａが露出されてその操作が可能になり、携帯電話機１０を用いて通話を行える状態になる。
【００３７】
第２筐体１２を元の位置に戻すには、例えば、第１筐体１１を左手で持つと共に第２筐体１２を右手で持って、この第２筐体１２を第１筐体１１に対して第１筐体１１の先端部から後端部側に力を作用させる（閉成方向にスライドさせる）。すると、ピボットピン５１がＡＥ段差によってＡ溝からＢ溝に移動してＢ溝を移動しつつ、第２筐体１２が第１筐体１１に対してスライドする。そして、図５（ｄ）に示すように、閉成位置をちょっと過ぎると、ピボットピン５１がＢ溝からＣ溝に移動して、第２筐体１２のスライドが限界になり止まる。この状態で第２筐体１２から手を離すと、第２筐体１２は、テンションスプリング４１の付勢力によって開成方向に自動的に移動して、図１及び図５（ａ）に示すように、ピボットピン５１がＣ溝を移動してから谷部であるＤ溝の端部に至り、第１筐体１１及び第２筐体１２が閉成位置に保持される。
【００３８】
したがって、本発明に係るスライド機構１及び携帯電話機１０は、閉成位置の第１筐体１１及び第２筐体１２の少なくとも一方を閉成方向に少し移動させると、第１筐体１１と第２筐体１２が自動的に開くので、操作性よく開成動作を行える。このため、手の大きさや指の長さにとらわれることなく、開成動作を行えるので、特に片手に荷物を持った場合等で片手でしか開成動作を行えないときには、本発明に係る携帯電話機１０は有用なものである。
【００３９】
また、ピボットピン５１がハートカム形状のエンドレスカム溝６に係合することによって第１筐体１１及び第２筐体１２を閉成位置と開成位置とに保持させるために、特に開成動作を行う際に操作を短く、かつ、操作力を軽くしても、誤動作し難くなるので、確実に操作性よく開成動作を行える。
【産業上の利用可能性】
【００４０】
以上説明したように本発明に係る携帯機器は、閉成位置の第１筐体及び第２筐体の少なくとも一方を閉成方向に少し移動させると、スライド待機位置になり、このスライド待機位置から自動的にスライドして一方の筐体の上面が露出する開成状態となるので、操作性よく開成動作を行えるから、携帯機器の中でもとくに携帯電話機として好適に用いられるものである。
【図面の簡単な説明】
【００４１】
【図１】本発明に係る携帯電話機の一例における閉成状態を示す側面図である。
【図２】本発明に係る携帯電話機の一例における開成状態を示す側面図である。
【図３】本発明に係るスライド機構の一例を示す斜視図である。
【図４】本発明に係るスライド機構の一例を示す斜視図である。
【図５】本発明に係る携帯電話機の開閉動作の一例を説明する側面図である。
【図６】本発明に係るエンドレスカム溝の一例のハートカムを説明する図である。
【図７】本発明に係るスライダーにピンを装着した状態を示す断面図である。
【図８】本発明に係るスライダーの一例を示す図で、（ａ）は平面図、（ｂ）は正面図、（ｃ）は側面図、（ｄ）は（ａ）中のＸ−Ｘ線矢視断面図、（ｅ）は（ｃ）中のＹ−Ｙ線矢視断面図である。
【符号の説明】
【００４２】
１  スライド機構
２  ベース部材
３  スライダー
４  付勢手段
５  ガイドピン
６  エンドレスカム溝
１０  携帯電話機
１１  第１筐体
１２  第２筐体
２１  ガイド部
２２  第１付勢取付部
３１  係合溝（係合部）
３２  第２付勢取付部
５１  ピボットピン
５５  ピン収容凹部
６１  谷部
６２  突部
６３  待機部
【図１】
2006270811.tif 000003
【図２】
2006270811.tif 000004
【図３】
2006270811.tif 000005
【図４】
2006270811.tif 000006
【図５】
2006270811.tif 000007
【図６】
2006270811.tif 000008
【図７】
2006270811.tif 000009
【図８】
2006270811.tif 000010